(57)【要約】【課題】電波時計や外部ネットワークを利用することなく、入力データに多重化する時刻情報を低コストで安定して取得することのできる多重化装置、及び、その多重化装置を備えたエンコーダ、デジタル変調器並びに自主放送システムを提供する。【解決手段】エンコーダ２０には、ＡＶ（音声・映像）信号を符号化する符号化部２４に加えて、受信信号の中からデジタルテレビ放送信号を選局・復調して時刻情報（ＴＯＴ）を抽出する受信部２２と、符号化部２４から出力される映像・音声データと時刻情報を含む付加情報とを多重化して放送ＴＳ信号を生成する多重化部２５とを有する多重化装置２８が設けられている。このエンコーダ２０によれば、時刻情報をデジタルテレビ放送信号から取得することができ、出力端子２９にＯＦＤＭ変調器を接続すれば、自主放送用のデジタルテレビ放送信号を生成でき、延いては、自主放送システムを容易に構築できる。【選択図】図１
2011199859.tif 000002
【特許請求の範囲】
【請求項１】
デジタルテレビ放送信号を受け入れ、当該デジタルテレビ放送信号の中から所定のチャンネルを選局・復調することによって、当該チャンネルの信号に含まれる時刻情報を取得する受信部と、
映像信号及び音声信号の少なくとも一方を含む放送用信号を符号化したデジタルデータと前記受信部にて取得された時刻情報とを含む複数のデータを多重化して、放送用のＴＳ信号として出力する多重化部と、
を備えたことを特徴とする多重化装置。
【請求項２】
映像信号及び音声信号の少なくとも一方を含む放送用信号を符号化して出力する符号化部と、
請求項１に記載の多重化装置からなり、前記符号化部から出力されるデジタルデータと時刻情報とを含む複数のデータを多重化して、放送用のＴＳ信号として出力する放送ＴＳ生成部と、
を備えたことを特徴とするエンコーダ。
【請求項３】
映像信号及び音声信号の少なくとも一方を含む放送用信号を符号化して出力する符号化部と、
請求項１に記載の多重化装置からなり、前記符号化部から出力されるデジタルデータと時刻情報とを含む複数のデータを多重化して、放送用のＴＳ信号として出力する放送ＴＳ生成部と、
前記放送ＴＳ生成部から出力されるＴＳ信号を、所定放送チャンネルのデジタルテレビ放送信号に変調して出力する変調部と、
を備えたことを特徴とするデジタル変調器。
【請求項４】
映像信号及び音声信号の少なくとも一方を含む放送用信号を符号化して出力する符号化部と、
請求項１に記載の多重化装置からなり、前記符号化部から出力されるデジタルデータと時刻情報とを含む複数のデータを多重化して、放送用のＴＳ信号として出力する放送ＴＳ生成部と、
前記放送ＴＳ生成部から出力されるＴＳ信号を、所定放送チャンネルのデジタルテレビ放送信号に変調して出力する変調部と、
デジタルテレビ放送波を受信する受信アンテナと、
前記受信アンテナにて受信されたデジタルテレビ放送信号を端末側に伝送する伝送ケーブルと、
前記伝送ケーブルに設けられ、前記伝送ケーブルに流れるデジタルテレビ放送信号を前記放送ＴＳ生成部分岐する分岐器と、
前記伝送ケーブルに設けられ、当該伝送ケーブルを介して前記受信アンテナから伝送されてきたデジタルテレビ放送信号に、前記変調部から出力されるデジタルテレビ放送信号を混合して、端末側に出力する混合器と、
を備えたことを特徴とする自主放送システム。
【発明の詳細な説明】
【技術分野】
【０００１】
本発明は、映像信号や音声信号などを符号化したデジタルデータを多重化する多重化装置、及び、この多重化装置を備えたエンコーダ、デジタル変調器並びに自主放送システムに関する。
【背景技術】
【０００２】
従来、デジタル信号の処理に当たっては、正確な時刻情報が必要とされている。
例えば、電力線（電灯線）を撮像信号の通信線として使用する装置であって、通信方式として直交周波数分割多重（ＯＦＤＭ：Orthogonal Frequency-Division Multiplexing ）方式を使った撮像装置の場合、当該装置の通信を制御するための通信制御マイクロプロセッサには、常に正確な標準時刻情報が入力されており、当該時刻情報を、通信を行なうかどうかを判断するための基準としている。
【０００３】
また、この装置において、標準時刻情報は、当該装置に設けられた電波時計（若しくは、ＦＭ放送受信機やＧＰＳ受信機）、或いは、外部ネットワーク上にあるタイムサーバ（ＮＴＰサーバ）から得るようにされており、通信制御マイクロプロセッサの時刻情報は、その取得した標準時刻情報により校正される（例えば、特許文献１参照）。
【先行技術文献】
【特許文献】
【０００４】
【特許文献１】特開２００９−２２５１５１号公報
【発明の概要】
【発明が解決しようとする課題】
【０００５】
ところが、従来技術のように、電波時計（若しくは、ＦＭ放送受信機やＧＰＳ受信機）を使って、外部の情報源から標準時刻情報を得る方法では、電波時計（若しくは、ＦＭ放送受信機やＧＰＳ受信機）の導入によりコストアップを招くだけでなく、目的の信号を常に安定して受信する必要があるため、設置場所等の受信環境に大きく制限を受けるといった問題があった。
【０００６】
つまり、宅内などで電波の受信状況が悪いときには、電波が良好に受信できる場所に外部アンテナを設置し、外部アンテナと撮像装置との間を信号ケーブルで接続する必要があるため、撮像装置の設置に手間がかかり、設置工事の困難性が増すといった問題が発生する。
【０００７】
また、外部ネットワーク上にあるＮＴＰサーバから時刻情報を得る方法では、構成が簡単にできるものの、外部ネットワークへの接続料金がかかり、また、ネットワークの回線の改修工事等があれば、正確な時刻情報を長時間に亘って得ることができなくなる、という問題があった。
【０００８】
ここで、時刻情報がいかに重要であるかについて、具体的な事例を挙げて説明する。
まず、この事例は、テレビ放送信号に加えて自主放送信号を伝送する自主放送システムに関するものであり、例えば、図４に示すように、学校やホテルなどで、ＶＨＦアンテナ４やＵＨＦアンテナ１を使って受信し、増幅器２により増幅したアナログテレビ放送信号と、アナログ変調器５０を使って生成した自主放送用のアナログテレビ放送信号とを、混合器１７にて混合し、同軸ケーブル３、分配器１８、直列ユニット６（６ａ，６ｂ，６ｃ，６ｄ…）等を介して端末側まで伝送することで、端末側にて地上アナログ放送も自主放送もアナログ対応テレビ４３で視聴できるように構成されたアナログ対応のシステムを、図３に示すような、デジタル対応のシステムに改修する工事を行う事例である。
【０００９】
日本のテレビ放送は、２０１１年７月に完全デジタル化がなされ、地上アナログ放送は完全停波することになっている。このため、図４に示すような自主放送システムにおいても、図５に示すように、不要になったＶＨＦアンテナ４を取り外すと共に、地上デジタル放送を受信するために、ＵＨＦアンテナ１の方向の再調整を行うなどのデジタル改修工事が行われている。
【００１０】
このようなデジタル改修工事が行われた図５のシステムでは、例えば、各端末に接続されたテレビ受像機が既存のアナログ対応テレビ４３であれば、直列ユニット６とアナログ対応テレビ４３との間に分配器４１を設け、分配器４１の分配出力の一方に、デジタルチューナ４２を介して、アナログ対応テレビ４３のＡＶ入力端子を接続し、分配器４１の他方の分配出力に、アナログ対応テレビ４３のＲＦ入力端子を接続すればよい。
【００１１】
つまり、このようにすれば、既存のアナログ対応テレビ４３を用いて、地上デジタル放送とアナログ自主放送とを視聴することができる。
しかし、地上デジタル放送をハイビジョンで見るために、テレビをデジタル対応テレビ４５に替えた場合、デジタル対応テレビ４５にアナログチューナが内蔵されていれば、アナログ信号を用いた自主放送も今までどおり見ることができるが、デジタル対応テレビにアナログチューナが内蔵されていない場合には、アナログ自主放送を視聴することができなくなる。
【００１２】
このため、自主放送システムのデジタル改修工事を行う際には、自主放送についてもデジタル放送へ切り換えることが望ましい。
この場合、アナログ自主放送のために備えられていた既存のアナログ変調器５０を、デジタル対応機器に置き換えることで、既存の配線システムを使ってデジタル自主放送を行なうようにすればよい。
【００１３】
具体的には、図３に示すように、ビデオカメラやＶＴＲ等の放送機器１５から得られる自主放送用のＡＶ信号（音声信号・映像信号）を符号化し、その符号化したデジタルデータ（映像・音声データ）と他の付加情報とを放送ＴＳ（Transport Stream）と呼ばれる信号形式に多重化して出力するエンコーダ２０と、このエンコーダ２０から得られる放送ＴＳをＯＦＤＭ放送信号に変調して出力するＯＦＤＭ変調器３０とを、アナログ変調器５０に置き換えて設置すればよい。
【００１４】
そして、このようにすれば、ＯＦＤＭ変調器３０から送出されるデジタル自主放送のデジタルテレビ放送信号と、ＵＨＦアンテナ１で受信した地上デジタル放送のデジタルテレビ放送信号とが混合器１７で混合されて、端末側に伝送されることになり、宅内に備えられたデジタル対応テレビなどの端末機器において、地上デジタル放送だけでなく、デジタル自主放送を視聴できるようなる。
【００１５】
ところで、デジタル放送では、映像信号や音声信号ばかりでなく、ＴＯＴ（Time Offset Table ）と呼ばれる時刻情報が放送ＴＳに多重されており、当該デジタル放送信号を受信するデジタル対応テレビのような端末機器は、選局中のＴＳからＴＯＴを抽出して時刻管理を行なうよう構成されている。
【００１６】
従って、デジタル放送を自主放送する場合においても、放送ＴＳには、ＴＯＴを、例えば標準時刻±５００ｍｓの精度で多重し、しかも安定して送出することが必須となっている。
【００１７】
これは、受信中のＴＳに一瞬でも不正確なＴＯＴが多重された場合には、例えば、ＥＰＧ画面がクリアされたり、録画予約の取り消しなどの不具合が発生するばかりでなく、同時に受信している他の方法（例えばＢＳデジタル放送）のＥＰＧがクリアされるなど、地上デジタル放送以外の放送にも悪影響が生じるためである。
【００１８】
このため、自主放送といえども、デジタル放送を行なう場合は、システムに致命的な欠陥を生じさせないように、送出されるデジタルテレビ放送信号に正確な時刻情報が必要となる。よって、標準時刻情報の安定した取得は、重要な課題となる。
【００１９】
本発明は、こうした課題に鑑みなされたものであり、電波時計や外部ネットワークを利用することなく、標準時刻情報を、低コストで常に安定して取得して、デジタルデータを多重化することのできる多重化装置を提供すると共に、その多重化装置を備えたエンコーダ、デジタル変調器及び自主放送システムを提供することを目的とする。
【課題を解決するための手段】
【００２０】
かかる目的を達成するためになされた請求項１に記載の多重化装置は、
デジタルテレビ放送信号を受け入れ、当該デジタルテレビ放送信号の中から所定のチャンネルを選局・復調することによって、当該チャンネルの信号に含まれる時刻情報を取得する受信部と、
映像信号及び音声信号の少なくとも一方を含む放送用信号を符号化したデジタルデータと前記受信部にて取得された時刻情報とを含む複数のデータを多重化して、放送用のＴＳ信号として出力する多重化部と、
を備えたことを特徴とする。
【００２１】
また、請求項２に記載のエンコーダは、
映像信号及び音声信号の少なくとも一方を含む放送用信号を符号化して出力する符号化部と、
請求項１に記載の多重化装置からなり、前記符号化部から出力されるデジタルデータと時刻情報とを含む複数のデータを多重化して、放送用のＴＳ信号として出力する放送ＴＳ生成部と、
を備えたことを特徴とする。
【００２２】
また次に、請求項３に記載のデジタル変調器は、
映像信号及び音声信号の少なくとも一方を含む放送用信号を符号化して出力する符号化部と、
請求項１に記載の多重化装置からなり、前記符号化部から出力されるデジタルデータと時刻情報とを含む複数のデータを多重化して、放送用のＴＳ信号として出力する放送ＴＳ生成部と、
前記放送ＴＳ生成部から出力されるＴＳ信号を、所定放送チャンネルのデジタルテレビ放送信号に変調して出力する変調部と、
を備えたことを特徴とする。
【００２３】
また，請求項４に記載の自主放送システムは、
映像信号及び音声信号の少なくとも一方を含む放送用信号を符号化して出力する符号化部と、
請求項１に記載の多重化装置からなり、前記符号化部から出力されるデジタルデータと時刻情報とを含む複数のデータを多重化して、放送用のＴＳ信号として出力する放送ＴＳ生成部と、
前記放送ＴＳ生成部から出力されるＴＳ信号を、所定放送チャンネルのデジタルテレビ放送信号に変調して出力する変調部と、
デジタルテレビ放送波を受信する受信アンテナと、
前記受信アンテナにて受信されたデジタルテレビ放送信号を端末側に伝送する伝送ケーブルと、
前記伝送ケーブルに設けられ、前記伝送ケーブルに流れるデジタルテレビ放送信号を前記符号化部へ分岐する分岐器と、
前記伝送ケーブルに設けられ、当該伝送ケーブルを介して前記受信アンテナから伝送されてきたデジタルテレビ放送信号に、前記変調部から出力されるデジタルテレビ放送信号を混合して、端末側に出力する混合器と、
を備えたことを特徴とする。
【発明の効果】
【００２４】
請求項１に記載の多重化装置においては、受信部が、デジタルテレビ放送信号の中から所定のチャンネルを選局・復調することによって、当該チャンネルの信号に含まれる時刻情報を取得する。
【００２５】
そして、多重化部が、映像信号及び音声信号の少なくとも一方を含む放送用信号を符号化したデジタルデータと受信部にて取得された時刻情報とを含む複数の入力データを多重化して、放送用のＴＳ信号として出力する。
【００２６】
従って、本発明の多重化装置によれば、受信部がタイムサーバとして機能し、その受信部により得られた時刻情報を用いて放送用のＴＳ信号を生成できることから、生成したＴＳ信号には、他のデジタルテレビ放送信号と同じ時刻情報が含まれることになり、ＴＳ信号に含まれる時刻情報が不正確になって、端末側での放送受信に悪影響を与えるのを防止できる。
【００２７】
また、受信部は、デジタルテレビ放送信号の中から所定チャンネルの放送信号を選局・復調することにより、時刻情報を取得できればよいため、受信部には、所謂ワンセグチューナ等、小型で安価なデジタルチューナを利用できる。よって、本発明のエンコーダによれば、装置の小型化、低コスト化を図ることができる。
【００２８】
次に、請求項２に記載のエンコーダには、映像信号及び音声信号の少なくとも一方を含む放送用信号を符号化して出力する符号化部に加えて、請求項１に記載の多重化装置からなる放送ＴＳ生成部が設けられている。
【００２９】
このため、請求項２に記載のエンコーダによれば、符号化部にて放送用信号を符号化したデジタルデータを、放送ＴＳ生成部にて放送用のＴＳ信号に変換して出力することができる。
【００３０】
そして、放送ＴＳ生成部は、請求項１に記載の多重化装置から構成されているので、請求項１に記載のものと同様、ＴＳ信号に含まれる時刻情報が不正確になって、端末側での放送受信に悪影響を与えるのを防止できる。
【００３１】
また、請求項３に記載のデジタル変調器においては、請求項２に記載のエンコーダと同様、符号化部と、請求項１に記載の多重化装置からなる放送ＴＳ生成部とが備えられており、変調部が、その放送ＴＳ生成部から出力されるＴＳ信号を所定放送チャンネルのデジタルテレビ放送信号に変調する。
【００３２】
このため、本発明のデジタル変調器によれば、符号化部と、放送ＴＳ生成部と、変調部とを別体で構成したときのように、それぞれを個々に設置する必要がないので、容易に設置することができる。
【００３３】
次に、請求項４に記載の自主放送システムには、請求項３に記載のデジタル変調器と同様、符号化部と、請求項１に記載の多重化装置からなる放送ＴＳ生成部と、変調部とが備えられており、伝送ケーブルを介して端末側に伝送されるデジタルテレビ放送信号が、分岐器により分岐されて、放送ＴＳ生成部に入力される。
【００３４】
このため、この放送ＴＳ生成部内では、受信部が、その入力されたデジタルテレビ放送信号の中から時刻情報を取得し、多重化部が、その時刻情報と符号化部からの出力データとを含む入力データを多重化して、放送用のＴＳ信号を生成する。
【００３５】
そして、その生成されたＴＳ信号は、変調部で所定放送チャンネルのデジタルテレビ放送信号に変調される。
またこのように変調部で変調されたデジタルテレビ放送信号は、伝送ケーブルに設けられた混合器を介して、伝送ケーブルを介して受信アンテナから伝送されてきたデジタルテレビ放送信号と混合され、伝送ケーブルを介して端末側に出力される。
【００３６】
従って、端末側では、デジタルテレビ放送を受信可能なデジタル対応テレビやデジタルチューナを利用して、エンコーダに入力された音声信号や映像信号からなる自主放送を視聴することができる。
【００３７】
また、放送ＴＳ生成部にて生成されるＴＳ信号には、受信アンテナにて受信されたデジタルテレビ放送信号から抽出した時刻情報が含まれるので、その時刻情報が不正確になって、自主放送の視聴や他のデジタルテレビ放送の視聴に悪影響を与えるのを防止できる。
【００３８】
また、本発明の自主放送システムによれば、放送ＴＳ生成部には、伝送ケーブルから分岐器を介してデジタルテレビ放送信号を入力すればよく、従来のように、時刻情報取得のために専用の受信アンテナを設けたり、外部ネットワークに接続したりする必要がないため、簡単な工事で、既設のシステムをデジタル放送対応側に改修することができる。
【００３９】
また、デジタルテレビ放送受信用の受信アンテナは、電波の受信状態が良い場所に設置されているので、放送ＴＳ生成部には、デジタルテレビ放送信号を、最適レベルで安定して入力することができる。
【００４０】
よって、放送ＴＳ生成部からは、常時安定したＴＳ信号が出力され、変調部からは、常時安定したデジタルテレビ放送信号が出力されることになる。
このため、本発明の自主放送システムによれば、デジタル方式の自主放送を長期間安定して実施することができる。
【図面の簡単な説明】
【００４１】
【図１】実施形態のエンコーダの構成を表すブロック図である。
【図２】実施形態のデジタル変調器の構成を表すブロック図である。
【図３】エンコーダを備えた自主放送システムの構成を表す構成図である。
【図４】アナログ対応の自主放送システムの構成を表す構成図である。
【図５】アナログとデジタルが混在した自主放送システムの構成を表す構成図である。
【発明を実施するための形態】
【００４２】
以下に本発明の実施形態について説明する。
図１は本発明が適用された実施形態のエンコーダ２０の構成を表すブロック図である。
図１に示すように、本実施形態のエンコーダ２０は、例えばビデオカメラやＶＴＲ等の放送機器から入力される放送用信号（例えば、ＳＤ画質の自主放送用の映像信号及び音声信号：以下、ＡＶ信号という。）を符号化する符号化部２４に加え、放送用ＴＳ生成部としての多重化装置２８を設けることにより、符号化された映像・音声信号を他の符号化データと多重化して、デジタルテレビ放送用のＴＳ信号（放送ＴＳ）を出力できるように構成されている。
【００４３】
即ち、エンコーダ２０には、入力端子２３から入力されるＡＶ信号を、例えばＨＤ画質にデジタル化された映像・音声データ（本実施形態では、MPEG-2 TS ）として出力する符号化部２４に加えて、符号化部２４から出力された映像・音声データや、後述の時刻情報、番組表データ等を受け入れ、これら各データを多重化して放送ＴＳを生成する多重化部２５と、符号化部２４及び多重化部２５の信号処理動作を制御（例えば、符号化、多重化のためのパラメータの設定、映像・音声データに多重化させる時刻情報等の付加情報の生成）する制御部２６とを備えた多重化装置２８が備えられている。
【００４４】
そしてエンコーダ２０は、多重化部２５において生成された放送ＴＳを、出力端子２９から外部に出力する。
なお、符号化部２４は、ＡＶ信号として、ＨＤレコーダ等から出力されるＨＤ画質の素材（映像・音声信号）を、ＨＤ画質のデジタル化された映像・音声データとして出力するように構成してもよい。
【００４５】
また、符号化部２４は、映像信号及び音声信号の一方を符号化するようにしてもよく、その場合には、多重化部２５にて、映像若しくは音声だけのデジタル放送信号（放送ＴＳ）が生成されることになる。
【００４６】
また、多重化装置２８には、デジタルテレビ放送波を受信するＵＨＦアンテナ１（図３参照）から同軸ケーブルを介して伝送されてくるデジタルテレビ放送信号（受信信号）を、入力端子２１から受け入れ、当該デジタルテレビ放送信号の中から、所定のチャンネルを選局・復調することによって、当該チャンネルの信号に含まれるデジタル情報を取得する受信部２２が備えられている。
【００４７】
なお，本実施形態では、特に明記しない限り受信アンテナで受信する電波は地上デジタル放送であり、同軸ケーブルを介して伝送されてくる受信信号がデジタルテレビ放送信号である。
【００４８】
受信部２２は、入力端子２１を介して入力されるデジタルテレビ放送信号の中から、所定のチャンネルを選局する選局部２２ａと、当該チャンネルのデジタルテレビ放送信号を復調するＯＦＤＭ復調部２２ｂと、このＯＦＤＭ復調部２２ｂにおいて復調されたＴＳ信号の誤り訂正を行なった後のＴＳ信号を分離する多重分離部２２ｃ等から構成されている。なお、受信部２２の選局チャンネル等は、制御部２６によって制御される。
【００４９】
多重化装置２８に受信部２２を設けた理由は、デジタルテレビ放送信号で自主放送を行なうに当たって、自主放送用として生成された放送用のＴＳ信号（放送ＴＳ）に必須である時刻情報（ＴＯＴ）を取得するためである。
【００５０】
即ち、本実施形態では、多重化装置２８に、タイムサーバとして受信部２２を設け、受信部２２にて、所定のチャンネルのデジタル情報の中から、特に時刻情報（ＴＯＴ）を分離させる。そして、受信部２２にて得られた時刻情報は、制御部２６に出力される。
【００５１】
また、制御部２６は、この時刻情報を用いて、自身のＲＴＣ（Real Time Clock ）を設定すると共に、その時刻情報を、番組表情報等の他の付加情報と共に、放送ＴＳとして多重化させるための多重化データに変換して、多重化部２５に出力する。
【００５２】
この結果、多重化部２５では、符号化部２４にて生成された映像・音声データと、時刻情報や番組表情報等の各種付加情報とを多重化した放送ＴＳが生成され、その生成された放送ＴＳは、エンコーダ２０の出力端子２９から外部に出力される。
【００５３】
なお、制御部２６が時刻情報と共に多重化データに変換する番組表情報等の付加情報や、制御部２６が制御する受信部２２の選局チャンネル、或いは、制御部２６が設定する符号化部２４及び多重化部２５のパラメータは、制御部２６にパーソナルコンピュータ（図に示す外部ＰＣ）等の情報処理装置を接続することにより、使用者が、この情報処理装置を用いて適宜設定できるようにされている。
【００５４】
また、受信部２２としては、地上デジタル放送受信用の１セグメント部分受信サービス対応チューナ（所謂ワンセグチューナ）を用いるのがよい。つまり、このチューナは、安価で、しかも小型であるため、これをタイムサーバとして採用することによって、エンコーダ２０のコストダウン、小型化を図ることができる。
【００５５】
次に、本実施形態のエンコーダ２０は、図３に示すデジタル方式の自主放送システムで利用することができる。
以下、本実施形態のエンコーダ２０を用いて構築される自主放送システムについて、図３を用いて説明する。
【００５６】
図３に示すように、本実施形態の自主放送システムには、受信アンテナとして、地上デジタル放送波を受信するためのＵＨＦアンテナ１が備えられている。そして、ＵＨＦアンテナ１に接続された同軸ケーブル３は、建物内に設けられた放送室５に引き込まれている。
【００５７】
また、同軸ケーブル３は、放送室５から引き出された後に、分配器１８等に接続されて所定数に分配されており、分配器１８の分配端子に接続されたそれぞれの同軸ケーブル３は、各端末まで引き込まれることによって、テレビ放送受信用のシステムを構成している。
【００５８】
信号の流れで説明すると、ＵＨＦアンテナ１から送出されたデジタルテレビ放送信号は、ＵＨＦ帯のテレビ放送信号を増幅する増幅器２で所定量だけ増幅されたのちに、同軸ケーブル３を介して、放送室５に引き込まれる。
【００５９】
放送室５内では、同軸ケーブル３に分岐器１０が設けられており、同軸ケーブル３を介して伝送されるデジタルテレビ放送信号の一部が、分岐器１０の分岐端子１０ａから出力される。
【００６０】
放送室５内には、エンコーダ２０が設けられており、分岐器１０の分岐端子１０ａから出力されたデジタルテレビ放送信号は、同軸ケーブル１１を介して、入力端子２１からエンコーダ２０に入力される。
【００６１】
また、エンコーダ２０のＡＶ信号入力用の入力端子には、ＶＴＲ等からなる放送機器１５にて生成されたＳＤ画質のＡＶ信号（音声・映像信号）が、信号ケーブル１６を介して入力される。
【００６２】
このため、エンコーダ２０内では、受信部２２にて、入力端子２１から入力されたデジタルテレビ放送信号から時刻情報（ＴＯＴ）が抽出され、符号化部２４にて、ＡＶ信号からデジタル放送用の映像・音声データが生成され、多重化部２５にて、映像・音声データと時刻情報（ＴＯＴ）等の付加情報とを多重化したデジタル放送用の放送ＴＳが生成され、その生成された放送ＴＳが出力端子２９から出力される。
【００６３】
また、放送室５には、エンコーダ２０の出力端子２９から出力される放送ＴＳを、予め設定された所定チャンネルのデジタルテレビ放送信号に変換するＯＦＤＭ変調器３０が設けられている。
【００６４】
そして、このＯＦＤＭ変調器３０にて生成されたデジタルテレビ放送信号は、同軸ケーブル１２を介して、混合器１７に入力される。混合器１７は、分岐器１０と分配器１８との間の同軸ケーブル３上に設けられており、ＯＦＤＭ変調器３０にて生成されたデジタルテレビ放送信号と、同軸ケーブル３を介してＵＨＦアンテナ１から伝送されてきた受信信号（デジタルテレビ放送信号）とを混合して、端末側の同軸ケーブル３上に出力する。
【００６５】
そして、混合器１７から端末側の同軸ケーブル３上に出力された混合信号は、分配器１８にて分配された後、分配器１８の各分配端子に接続された同軸ケーブル３上の直列ユニット６を介して、各種端末装置に出力される。
【００６６】
従って、図３に示す自主放送システムにおいて、端末側装置として、既に所有しているアナログ対応テレビ４３を使用する場合は、直列ユニット６（図では６ａ）とアナログ対応テレビ４３との間に、デジタルチューナを設けて、デジタルチューナからアナログ対応テレビ４３に音声信号及び映像信号を出力するようにすれば、アナログ対応テレビ４３を用いて、地上デジタル放送とデジタル自主放送の両方を視聴することができる。
【００６７】
また、直列ユニット６（図では６ｄ）にデジタル対応テレビ４５を接続すれば、そのデジタル対応テレビ４５を使って、地上デジタル放送とデジタル自主放送の両方を視聴できる。
【００６８】
このように、本実施形態のエンコーダ２０によれば、図４又は図５に示したような既設の自主放送システムにおいて、放送室５に既に引き込まれている同軸ケーブル３に分岐器１０を設け、アナログ変調器５０を、エンコーダ２０及びＯＦＤＭ変調器３０に交換するだけで、既に配線されている同軸ケーブル３を使って、デジタルテレビ放送信号を使った自主放送を実施できるようになる。このため、デジタル自主放送システムを簡単且つ低コストで実現できる。
【００６９】
また、本実施形態のエンコーダ２０には、分岐器１０を介して、ＵＨＦアンテナ１にて受信されたデジタルテレビ放送信号を入力すればよいので、エンコーダ２０内では、受信部２２を使って、時刻情報を安定的且つ持続的に取得することができる。
【００７０】
また、エンコーダ２０から出力される放送ＴＳ内の時刻情報は、ＵＨＦアンテナ１で受信された地上デジタル放送信号に含まれる時刻情報と同じであるため、ＯＦＤＭ変調器３０にて生成された自主放送用のデジタルテレビ放送信号に含まれる時刻情報の精度が悪くなることはない。
【００７１】
よって、本実施形態の自主放送システムによれば、自主放送用のデジタルテレビ放送信号に含まれる時刻情報の精度低下によって、端末側で受信不良等の不具合が発生するのを防止できる。
【００７２】
以上、本発明の一実施形態について説明したが、本発明は、上記実施形態に限定されるものではなく、本発明の要旨を逸脱しない範囲で、種々の態様をとることができる。
例えば、図３に示す自主放送システムでは、放送室５内にエンコーダ２０とＯＦＤＭ変調器３０とを個々に設けるものとして説明したが、例えば、図２に示すように、図１に示したエンコーダ２０内にＯＦＤＭ変調部３０ａを設けることで、デジタル変調器２００を構成し、このデジタル変調器２００を、放送室５内に設置するようにしてもよい。
【００７３】
そして、このようにすれば、エンコーダ２０とＯＦＤＭ変調器３０とを接続する必要がないので、放送室５等への設置を容易に行うことができる。
また、図１、図２に示すように、エンコーダ２０、デジタル変調器２００には、外部から自主放送用のデジタルテレビ放送信号として多重化したい多重化用データ（例えば、他の符号化装置で符号化された映像・音声データ等）を入力するための入力端子２７を設けてもよい。
【００７４】
この場合、その入力端子２７に入力された多重化用データを多重化部２５に入力することで、自主放送用のデジタルテレビ放送信号にて端末側に配信される情報量を増加することができる。
【００７５】
なお、放送ＴＳ生成部としての多重化装置２８は、符号化部２４とは別に単体で構成することもできるが、この場合には、多重化装置２８への多重化用データ（映像・音声データなど)を入力する入力端子を複数設け、各入力端子に入力された多重化用データを多重化部２５に入力するようにすればよい。
【符号の説明】
【００７６】
１…ＵＨＦアンテナ（受信アンテナ）、２…増幅器、３…同軸ケーブル、４…ＶＨＦアンテナ、５…放送室、６…直列ユニット、１０…分岐器、１１，１２…同軸ケーブル、１５…放送機器、１６…信号ケーブル、１７…混合器、１８…分配器、２０…エンコーダ、２１…入力端子、２２…受信部、２２ａ…選局部、２２ｂ…ＯＦＤＭ復調部、２２ｃ…多重分離部、２３…入力端子、２４…符号化部、２５…多重化部、２６…制御部、２７…入力端子、２８…多重化装置（放送ＴＳ生成部）、２９…出力端子、３０…ＯＦＤＭ変調器、３０ａ…ＯＦＤＭ変調部、４１…分配器、４２…デジタルチューナ、４３…アナログ対応テレビ、４５…デジタル対応テレビ、５０…アナログ変調器、２００…デジタル変調器。
【図１】
2011199859.tif 000003
【図２】
2011199859.tif 000004
【図３】
2011199859.tif 000005
【図４】
2011199859.tif 000006
【図５】
2011199859.tif 000007